【手続補正書】
【提出日】平成18年8月29日(2006.8.29)
【手続補正１】
【補正対象書類名】特許請求の範囲
【補正対象項目名】全文
【補正方法】変更
【補正の内容】
【特許請求の範囲】
【請求項１】
ＳＳＦＰ−ＨＦ励起パルス・シーケンスを用いたスペクトロスコピック・イメージ撮像方法であって、
フリップ角を有する繰返し時間ＨＦ励起パルスを検査対象に照射し、
前記ＨＦ励起パルス照射間における第１読出しウィンドウにおいて傾斜磁場をかけない状態でＦＩＤ類似ＳＳＦＰ信号Ｓ１を読み出し、第１読出しウィンドウとは別の第２読出しウィンドウにおいて傾斜磁場をかけない状態でエコー類似ＳＳＦＰ信号Ｓ２を読み出す方法において、  
前記第１読出しウィンドウの前において、少なくとも１つの位相コーディング傾斜磁場を反転し、少なくとも１つの空間方向の位相コーディングを行い、次のＨＦ励起パルスを照射する前に、少なくとも１つの位相コーディング傾斜磁場を反転し、前記少なくとも１つの空間方向の位相コーディングを消去することを特徴とする方法。
【請求項２】
前記ＦＩＤ類似ＳＳＦＰ信号Ｓ１とエコー類似ＳＳＦＰ信号Ｓ２との間において、第１スポイラー傾斜磁場が反転され、前記第１ウィンドウと第２ウィンドウとが分離されることを特徴とする請求項１記載の方法。
【請求項３】
前記ＨＦ励起パルスが層選択的に照射されることを特徴とする請求項１または２記載の方法。
【請求項４】
前記ＦＩＤ類似ＳＳＦＰ信号Ｓ１とエコー類似ＳＳＦＰ信号Ｓ２との間において、第２スポイラー傾斜磁場が反転され、前記第１スポイラー傾斜磁場と第２スポイラー傾斜磁場との間において、干渉信号を抑圧する周波数選択飽和パルスが照射されることを特徴とする請求項３記載の方法。
【請求項５】
前記第１読出しウィンドウの後、前記第２読出しウィンドウの前において、少なくとも１つの位相コーディング傾斜磁場が反転され、少なくとも１つの空間方向の位相コーディングが消去され、次いで、少なくとも１つの位相コーディング傾斜磁場が反転され、少なくとも１つの空間方向の位相コーディングが行われることを特徴とする請求項３または４記載の方法。
【請求項６】
前記ＨＦ励起パルスが周波数選択的であることを特徴とする請求項１または２記載の方法。
【請求項７】
ＳＳＦＰ−ＨＦ励起パルス・シーケンスを用いたスペクトロスコピック・イメージ撮像方法であって、
フリップ角を有する繰返し時間ＨＦ励起パルスを検査対象に照射し、
前記ＨＦ励起パルス照射間における単一の読出しウィンドウにおいて、傾斜磁場をかけない状態で１つのＦＩＤ類似ＳＳＦＰ信号Ｓ１のみを読み出す方法において、
前記読出しウィンドウの前において、少なくとも１つの位相コーディング傾斜磁場を反転し、少なくとも１つの空間方向の位相コーディングを行い、
次のＨＦ励起パルスを照射する前に、少なくとも１つの位相コーディング傾斜磁場を反転し、前記位相コーディングを消去することを特徴とする方法。
【請求項８】
前記読出しウィンドウの後において、第１スポイラー傾斜磁場が反転されることを特徴とする請求項７記載の方法。
【請求項９】
前記ＨＦ励起パルスが層選択的に照射されることを特徴とする請求項７または８記載の方法。
【請求項１０】
前記読出しウィンドウの後において、第２スポイラー傾斜磁場が反転され、前記第１スポイラー傾斜磁場と第２スポイラー傾斜磁場との間において、干渉信号を抑圧する周波数選択飽和パルスが照射されることを特徴とする請求項９記載の方法。
【請求項１１】
前記ＨＦ励起パルスが周波数選択的であることを特徴とする請求項７または８記載の方法。
【請求項１２】
ＳＳＦＰ−ＨＦ励起パルス・シーケンスを用いたスペクトロスコピック・イメージ撮像方法であって、
フリップ角を有する繰返し時間ＨＦ励起パルスを検査対象に照射し、
前記ＨＦ励起パルス照射間における単一の読出しウィンドウにおいて傾斜磁場をかけない状態で１つのエコー類似ＳＳＦＰ信号Ｓ２のみを読み出す方法において、
前記読出しウィンドウの前において、少なくとも１つの位相コーディング傾斜磁場を反転し、少なくとも１つの空間方向の位相コーディングを行い、
次のＨＦ励起パルスを照射する前に、少なくとも１つの位相コーディング傾斜磁場を反転し、前記位相コーディングを消去することを特徴とする方法。
【請求項１３】
前記読出しウィンドウの前において、第１スポイラー傾斜磁場が反転されることを特徴とする請求項７記載の方法。
【請求項１４】
前記ＨＦ励起パルスが層選択的に照射されることを特徴とする請求項７または８記載の方法。
【請求項１５】
前記読出しウィンドウの前において、第２スポイラー傾斜磁場が反転され、前記第１スポイラー傾斜磁場と第２スポイラー傾斜磁場との間において、干渉信号を抑圧する周波数選択飽和パルスが照射されることを特徴とする請求項９記載の方法。
【請求項１６】
前記ＨＦ励起パルスが周波数選択的であることを特徴とする請求項７または８記載の方法。
【請求項１７】
前記第２読出しウィンドウの前において、２つの位相コーディング傾斜磁場が反転され、２つの空間方向の位相コーディングが行われ、次のＨＦ励起パルスが照射される前に、２つの位相コーディング傾斜磁場が反転され、前記２つの空間方向の位相コーディングが消去されることを特徴とする請求項１〜６いずれか１項記載の方法。
【請求項１８】
前記第１読出しウィンドウの前において、３つの位相コーディング傾斜磁場が反転され、３つの空間方向の位相コーディングが行われ、次のＨＦ励起パルスが照射される前に、３つの位相コーディング傾斜磁場が反転され、前記３つの空間方向の位相コーディングが消去されることを特徴とする請求項１〜６いずれか１項記載の方法。
【請求項１９】
前記第２読出しウィンドウの前において、２つの位相コーディング傾斜磁場が反転され、２つの空間方向の位相コーディングが行われ、前記第１読出しウィンドウの後、前記第２読出しウィンドウの前において、２つの位相コーディング傾斜磁場が反転され、２つの空間方向の位相コーディングが消去され、次いで、２つの位相コーディング傾斜磁場が反転され、２つの空間方向の位相コーディングが行われ、次のＨＦ励起パルスが照射される前に、２つの位相コーディング傾斜磁場が反転され、前記２つの空間方向の位相コーディングが消去されることを特徴とする請求項５記載の方法。
【請求項２０】
前記第１読出しウィンドウの前において、３つの位相コーディング傾斜磁場が反転され、３つの空間方向の位相コーディングが行われ、該第１読出しウィンドウの後、前記第２読出しウィンドウの前において、３つの位相コーディング傾斜磁場が反転され、３つの空間方向の位相コーディングが消去され、次いで、３つの位相コーディング傾斜磁場が反転され、３つの空間方向の位相コーディングが行われ、次のＨＦ励起パルスが照射される前に、３つの位相コーディング傾斜磁場が反転され、前記３つの空間方向の位相コーディングが消去されることを特徴とする請求項５記載の方法。
【請求項２１】
前記読出しウィンドウの前において、２つの空間方向の２つの位相コーディング傾斜磁場が反転され、次のＨＦ励起パルスが照射される前に、２つの位相コーディング傾斜磁場が反転され、前記２つの空間方向の位相コーディングが消去されることを特徴とする請求項７〜１６いずれか１項記載の方法。
【請求項２２】
前記読出しウィンドウの前において、３つの位相コーディング傾斜磁場が反転され、３つの空間方向の位相コーディングが行われ、次のＨＦ励起パルスが照射される前に、３つの位相コーディング傾斜磁場が反転され、前記３つの空間方向の位相コーディングが消去されることを特徴とする請求項７〜１６いずれか１項記載の方法。
【請求項２３】
ＳＳＦＰ−ＨＦ励起パルス・シーケンスを用いたスペクトロスコピック・イメージ撮像方法であって、
フリップ角を有する繰返し時間ＨＦ励起パルスを検査対象に照射し、
前記ＨＦ励起パルス照射間における第１読出しウィンドウにおいて、１つの空間方向に振動している少なくとも１つの読出し傾斜磁場の下でＦＩＤ類似ＳＳＦＰ信号Ｓ１を読み出し、第１読出しウィンドウとは別の第２読出しウィンドウにおいて、１つの空間方向に振動している少なくとも１つの読出し傾斜磁場の下でエコー類似ＳＳＦＰ信号Ｓ２を読み出すことを特徴とする方法。
【請求項２４】
振動している１つの読出し傾斜磁場の下で前記ＦＩＤ類似ＳＳＦＰ信号Ｓ１およびエコー類似信号Ｓ２がそれぞれ読み出され、前記第１読出しウィンドウの前において、１つまたは２つの位相コーディング傾斜磁場が反転され、１つまたは２つの空間方向の位相コーディングが行われ、次のＨＦ励起パルスが照射される前に、１つまたは２つの位相コーディング傾斜磁場が反転され、前記１つまたは２つの空間方向の位相コーディングが消去されることを特徴とする請求項２３記載の方法。
【請求項２５】
異なる空間方向に振動している２つの読出し傾斜磁場の下で前記ＦＩＤ類似ＳＳＦＰ信号Ｓ１およびエコー類似信号Ｓ２がそれぞれ読み出され、前記第１読出しウィンドウの前において、１つの位相コーディング傾斜磁場が反転され、１つの空間方向の位相コーディングが行われ、次のＨＦ励起パルスが照射される前に、１つの位相コーディング傾斜磁場が反転され、前記１つの空間方向の位相コーディングが消去されることを特徴とする請求項２３記載の方法。
【請求項２６】
異なる空間方向に振動している３つの読出し傾斜磁場の下で前記ＦＩＤ類似ＳＳＦＰ信号Ｓ１およびエコー類似信号Ｓ２がそれぞれ読み出されることを特徴とする請求項２３記載の方法。
【請求項２７】
前記ＦＩＤ類似ＳＳＦＰ信号Ｓ１とエコー類似ＳＳＦＰ信号Ｓ２との間において、第１スポイラー傾斜磁場が反転され、前記第１ウィンドウと第２ウィンドウとが分離されることを特徴とする請求項２３〜２６記載の方法。
【請求項２８】
前記ＨＦ励起パルスが層選択的に照射されることを特徴とする請求項２３〜２７記載の方法。
【請求項２９】
前記ＦＩＤ類似ＳＳＦＰ信号Ｓ１とエコー類似ＳＳＦＰ信号Ｓ２との間において、第２スポイラー傾斜磁場が反転され、前記第１スポイラー傾斜磁場と第２スポイラー傾斜磁場との間において、干渉信号を抑圧する周波数選択飽和パルスが照射されることを特徴とする請求項２８記載の方法。
【請求項３０】
前記第１読出しウィンドウの後、前記第２読出しウィンドウの前において、少なくとも１つの位相コーディング傾斜磁場が反転され、少なくとも１つの空間方向の位相コーディングが消去され、次いで、少なくとも１つの位相コーディング傾斜磁場が反転され、少なくとも１つの空間方向の位相コーディングが行われることを特徴とする請求項２８または２９記載の方法。
【請求項３１】
前記ＨＦ励起パルスが周波数選択的であることを特徴とする請求項２３〜２７いずれか１項記載の方法。
【請求項３２】
ＳＳＦＰ−ＨＦ励起パルス・シーケンスを用いたスペクトロスコピック・イメージ撮像方法であって、
フリップ角を有する繰返し時間ＨＦ励起パルスを検査対象に照射し、
前記ＨＦ励起パルス照射間における単一の読出しウィンドウにおいて、１つの空間方向に振動している少なくとも１つの読出し傾斜磁場の下で１つのＦＩＤ類似ＳＳＦＰ信号Ｓ１を読み出すことを特徴とする方法。
【請求項３３】
１つの空間方向に振動している１つの読出し傾斜磁場の下で前記ＦＩＤ類似ＳＳＦＰ信号Ｓ１が読み出され、前記読出しウィンドウの前において、１つまたは２つの位相コーディング傾斜磁場が反転され、１つまたは２つの空間方向の位相コーディングが行われ、次のＨＦ励起パルスが照射される前に、１つまたは２つの位相コーディング傾斜磁場が反転され、前記１つまたは２つの空間方向の位相コーディングが消去されることを特徴とする請求項３２記載の方法。
【請求項３４】
異なる空間方向に振動している２つの読出し傾斜磁場の下で前記ＦＩＤ類似ＳＳＦＰ信号Ｓ１が読み出され、前記読出しウィンドウの前において、１つの位相コーディング傾斜磁場が反転され、１つの空間方向の位相コーディングが行われ、次のＨＦ励起パルスが照射される前に、１つの位相コーディング傾斜磁場が反転され、前記１つの空間方向の位相コーディングが消去されることを特徴とする請求項３２記載の方法。
【請求項３５】
異なる空間方向に振動している３つの読出し傾斜磁場の下で前記ＦＩＤ類似ＳＳＦＰ信号Ｓ１が読み出されることを特徴とする請求項３２記載の方法。
【請求項３６】
前記読出しウィンドウの後において、第１スポイラー傾斜磁場が反転されることを特徴とする請求項３２〜３５いずれか１項記載の方法。
【請求項３７】
前記ＨＦ励起パルスが層選択的に照射されることを特徴とする３２〜３６いずれか１項記載の方法。
【請求項３８】
前記読出しウィンドウの後において、第２スポイラー傾斜磁場が反転され、前記第１スポイラー傾斜磁場と第２スポイラー傾斜磁場との間において、干渉信号を抑圧する周波数選択飽和パルスが照射されることを特徴とする請求項３７記載の方法。
【請求項３９】
前記ＨＦ励起パルスが周波数選択的であることを特徴とする請求項３２〜３６いずれか１項記載の方法。
【請求項４０】
ＳＳＦＰ−ＨＦ励起パルス・シーケンスを用いたスペクトロスコピック・イメージ撮像方法であって、
フリップ角を有する繰返し時間ＨＦ励起パルスを検査対象に照射し、
前記ＨＦ励起パルス照射間における単一の読出しウィンドウにおいて、１つの空間方向に振動している少なくとも１つの読出し傾斜磁場の下で１つのエコー類似ＳＳＦＰ信号Ｓ２を読み出すことを特徴とする方法。
【請求項４１】
１つの空間方向に振動している１つの読出し傾斜磁場の下で前記エコー類似ＳＳＦＰ信号Ｓ２が読み出され、前記読出しウィンドウの前において、１つまたは２つの位相コーディング傾斜磁場が反転され、１つまたは２つの空間方向の位相コーディングが行われ、次のＨＦ励起パルスが照射される前に、１つまたは２つの位相コーディング傾斜磁場が反転され、前記１つまたは２つの空間方向の位相コーディングが消去されることを特徴とする請求項４０記載の方法。
【請求項４２】
異なる空間方向に振動している２つの読出し傾斜磁場の下で前記エコー類似ＳＳＦＰ信号Ｓ２が読み出され、前記読出しウィンドウの前において、１つの位相コーディング傾斜磁場が反転され、１つの空間方向の位相コーディングが行われ、次のＨＦ励起パルスが照射される前に、１つの位相コーディング傾斜磁場が反転され、前記１つの空間方向の位相コーディングが消去されることを特徴とする請求項４０記載の方法。
【請求項４３】
異なる空間方向に振動している３つの読出し傾斜磁場の下で前記ＳＳＦＰエコー信号Ｓ２が読み出されることを特徴とする請求項４０記載の方法。
【請求項４４】
前記読出しウィンドウの後において、第１スポイラー傾斜磁場が反転されることを特徴とする請求項４０〜４３いずれか１項記載の方法。
【請求項４５】
前記ＨＦ励起パルスが層選択的に照射されることを特徴とする請求項４０〜４４いずれか１項記載の方法。
【請求項４６】
前記読出しウィンドウの後において、第２スポイラー傾斜磁場が反転され、前記第１スポイラー傾斜磁場と第２スポイラー傾斜磁場との間において、干渉信号を抑圧する周波数選択飽和パルスが照射されることを特徴とする請求項４５記載の方法。
【請求項４７】
前記ＨＦ励起パルスが周波数選択的であることを特徴とする請求項４０〜４４いずれか１項記載の方法。
【請求項４８】
前記信号Ｓ１および/またはＳ２が１つのＨＦコイルによって検出されることを特徴とする請求項１〜４７いずれか１項記載の方法。
【請求項４９】
前記信号Ｓ１および/またはＳ２が空間的に異なる感度プロフィールを有する少なくとも２つのＨＦコイルによって検出されることを特徴とする請求項１〜４７いずれか１項記載の方法。
【請求項５０】
請求項１〜４９いずれか１項記載の方法を実行するための手段を備えた装置。
【請求項５１】
磁気共鳴装置であることを特徴とする請求項５０記載の装置。
【請求項５２】
核スピン・トモグラフィー装置、核スピン・スペクトロスコピー装置、またはその組合せであることを特徴とする請求項５１記載の装置。
【請求項５３】
請求項１〜４９いずれか１項記載の方法を材料の特性分析に使用する方法。
【請求項５４】
請求項１〜４９いずれか１項記載の方法を老化プロセスの分析に使用する方法。